(57)【特許請求の範囲】
【請求項１】
媒体に液体を吐出する吐出部を主走査方向に移動可能なキャリッジを有し、
前記キャリッジは、前記主走査方向において前記吐出部の少なくとも片側に、前記吐出部から前記液体を吐出することに伴い発生するミストを捕捉する捕捉部を備え、
前記捕捉部は、矩形の形状を成すと共に前記主走査方向と交差する副走査方向に沿って延在し、前記媒体と対向する捕捉口が設けられた内底面と、前記捕捉口に対向すると共に前記媒体と対向する平行な内面と、前記内面と交差する内側面と、ファンと、を有しており、
前記内面には、前記ミストを液滴にして当該液滴を付着させて捕獲する捕獲部が設けられており、
前記ファンは、前記捕獲部へ向かう気流を生じさせること、を特徴とする液体吐出装置。
【請求項２】
前記ファンは、前記副走査方向における前記捕捉部の一端側に設けられていること、を特徴とする請求項１に記載の液体吐出装置。
【請求項３】
前記捕獲部は、前記ミストを吸収する吸収材を有していること、を特徴とする請求項１または請求項２に記載の液体吐出装置。
【請求項４】
前記捕獲部は、フィン状の凹凸部を有していること、を特徴とする請求項１から請求項３のいずれか一項に記載の液体吐出装置。
【請求項５】
前記捕捉部は、前記捕捉口と、前記捕捉口と対向する前記内面と、の間に、平面視にて前記捕捉口と重なる位置に液体誘導部を有していること、を特徴とする請求項１から請求項４のいずれか一項に記載の液体吐出装置。
【請求項６】
前記液体誘導部は、前記捕捉部の前記内側面に向かって傾斜していること、を特徴とする請求項５に記載の液体吐出装置。
【請求項７】
前記ファンは、前記キャリッジの前記主走査方向への移動中の風速よりも、前記キャリッジの停止中の風速のほうが、速くなるように駆動可能であること、を特徴とする請求項１から請求項６のいずれか一項に記載の液体吐出装置。
【請求項８】
媒体に液体を吐出する吐出部を主走査方向に移動可能なキャリッジを有し、
前記キャリッジは、前記主走査方向において前記吐出部の少なくとも片側に、前記吐出部から前記液体を吐出することに伴い発生するミストを捕捉する捕捉部を備え、
前記捕捉部は、矩形の形状を成すと共に前記主走査方向と交差する副走査方向に沿って延在し、前記媒体と対向する捕捉口が設けられた内底面と、前記捕捉口に対向すると共に前記媒体と対向する平行な内面と、前記内面と交差する内側面と、を有しており、
前記内面には、前記ミストを吸収する吸収材を有し、前記ミストを液滴にして当該液滴を前記吸収材に付着させて捕獲する捕獲部が設けられていること、を特徴とする液体吐出装置。
【発明の詳細な説明】
【技術分野】
【０００１】
本発明は、液体吐出装置に関する。
【背景技術】
【０００２】
従来から、液体吐出装置の一例として、紙や布などの媒体に向かって液体を液滴に吐出して媒体に画像などの記録を行うインクジェット式プリンターが知られていた。インクジェット式プリンターは、複数のノズル（吐出部）が形成された記録ヘッドを備え、プラテン上を搬送される媒体に対して、吐出部から液体を吐出させながら記録ヘッドを媒体の搬送方向（副走査方向）と交差する主走査方向に移動させる主走査と、媒体を副走査方向に搬送させる副走査と、を交互に繰り返す。これにより、媒体上に画像が形成される。このような液体吐出装置では、吐出部から液体を吐出した際に液体吐出装置の内部を浮遊する極微小の液滴（ミスト）が生じ、このミストが媒体や液体吐出装置の内部を汚して画像の品質を低下させる恐れがあった。このため、例えば、特許文献１には、ミストを吸引して回収するミスト回収手段を備えた液体噴射装置（液体吐出装置）が開示されている。
【先行技術文献】
【特許文献】
【０００３】
【特許文献１】特開２００７−２２９９５０号公報
【発明の概要】
【発明が解決しようとする課題】
【０００４】
しかしながら、特許文献１に記載の液体吐出装置は主走査方向に沿ってプラテン上に複数の吸引孔が設けられ、ミストは媒体の主走査方向における幅方向の外側に位置する領域の吸引孔から吸引させる構成になっている。このため、媒体の中央部において吐出部から液体を吐出することに伴って生じたミストは、発生直後に回収することが困難であり、依然として液体吐出装置の内部にミストが拡散してしまうという課題があった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る液体吐出装置は、媒体に液体を吐出する吐出部を主走査方向に移動可能なキャリッジを有し、前記キャリッジは、前記主走査方向において前記吐出部の少なくとも片側に、前記吐出部から前記液体を吐出することに伴い発生するミストを捕捉する捕捉部を備え、前記捕捉部は、前記ミストを捕獲する捕獲部を有していること、を特徴とする。
【０００７】
本適用例によれば、液体吐出装置のキャリッジは、吐出部の少なくとも片側に捕捉部を備えている。換言すると、ミストを捕捉する捕捉部は吐出部と共に主走査方向に往復移動する。さらに、捕捉部は、捕捉したミストを捕獲する捕獲部を有しているので、吐出部から液体を吐出することに伴って生じるミストの大部分を発生直後に捕獲することができる。これにより、液体吐出装置の内部を浮遊するミストが減少するので、このミストにより液体吐出装置の内部や媒体が汚染されることを抑制することができる。したがって、画像品質を向上させた液体吐出装置を提供することができる。
【０００８】
［適用例２］上記適用例に記載の液体吐出装置において、前記捕捉部は、前記主走査方向と交差する副走査方向に沿って延在し、前記媒体と対向する面に捕捉口が設けられていること、が好ましい。
【０００９】
本適用例によれば、液体吐出装置の捕捉部は、副走査方向に延在し媒体と対向する面（底面）にミストを捕捉する捕捉口が設けられ吐出部と共に主走査方向に往復移動する。吐出部から液体を吐出することに伴って生じたミストは、直後に通過する捕捉部の捕捉口から捕捉部の内部に捕捉される。これにより、ミストの捕捉効率を向上することができる。
【００１０】
［適用例３］上記適用例に記載の液体吐出装置において、前記捕捉部は、捕獲部に向かう気流を生じさせるファンを有していること、が好ましい。
【００１１】
本適用例によれば、液体吐出装置の捕捉部は、捕獲部に向かう気流を生じさせるファンを有しているので、ミストを捕捉口から捕獲部に誘導させることができる。
【００１２】
［適用例４］上記適用例に記載の液体吐出装置において、前記ファンは、前記副走査方向における前記捕捉部の一端側に設けられていること、が好ましい。
【００１３】
本適用例によれば、ファンは、捕捉部の副走査方向における一端側に設けられ、一端側から捕獲部に向かい他端側に至る気流を発生する。この気流は、捕捉口から流入したミストを捕獲部に誘導させる。換言すると、ミストはファンを通り抜けないので、ファンがミストで汚染されることなく、ミストを捕獲部に誘導させることができる。
【００１４】
［適用例５］上記適用例に記載の液体吐出装置において、前記捕獲部は、前記ミストを吸収する吸収材を有していること、が好ましい。
【００１５】
本適用例によれば、捕獲部は、ミストを吸収する吸収材を有しているので、ミストを効率的に捕獲することができる。
【００１６】
［適用例６］上記適用例に記載の液体吐出装置において、前記捕獲部は、フィン状の凹凸部を有していること、が好ましい。
【００１７】
本適用例によれば、捕獲部は、フィン状の凹凸部を有しており、ミストと接触する表面積が広くなっているので、ミストを効率的に捕獲することができる。
【００１８】
［適用例７］上記適用例に記載の液体吐出装置において、前記捕獲部は、前記捕捉口と対向する内面に設けられていること、が好ましい。
【００１９】
本適用例によれば、ミストは、媒体と対向する面（底面）に設けられた捕捉口から流入し、捕捉口と対向する内面に向かって上昇するので、捕獲部を捕捉口と対向する内面に設けることで、ミストを効率的に捕獲することができる。
【００２０】
［適用例８］上記適用例に記載の液体吐出装置において、前記捕獲部は、前記捕捉口の設けられた面と交差する内側面に設けられていること、が好ましい。
【００２１】
本適用例によれば、捕獲部は、捕捉口の設けられた面と交差する内側面に設けられているので、捕獲部にミストが多量に付着し液状になっても、液状化したミスト（液体）は内側面に沿って降下する。換言すると、捕獲部は、捕捉口と対向する内面に設けられていないので、液体が液滴となって捕獲部から滴下し捕捉口から流出して、液体吐出装置の内部や媒体を汚染することを防止できる。
【００２２】
［適用例９］上記適用例に記載の液体吐出装置において、前記捕捉部は、前記捕捉口と、前記捕捉口と対向する内面と、の間に、平面視にて前記捕捉口と重なる位置に液体誘導部を有していること、が好ましい。
【００２３】
本適用例によれば、捕捉部は、捕捉口と、捕捉口と対向する内面と、の間に液体誘導部を有している。捕獲部が捕捉口と対向する位置に設けられている場合でも、捕獲部にミストが多量に付着し、液状化したミスト（液体）が液滴となって捕獲部から滴下し捕捉口から流出して、液体吐出装置の内部や媒体を汚染することを防止できる。
【００２４】
［適用例１０］上記適用例に記載の液体吐出装置において、前記液体誘導部は、前記捕捉部の前記内側面に向かって傾斜していること、が好ましい。
【００２５】
本適用例によれば、液体誘導部は、捕捉部の内側面に向かって傾斜しているので、捕捉したミストが成長し液滴となって捕獲部から滴下した液体を内側面に集めることで、液体を容易に回収することができる。
【００２６】
［適用例１１］上記適用例に記載の液体吐出装置において、前記ファンは、前記キャリッジの前記主走査方向への移動中の風速よりも、前記キャリッジの停止中の風速のほうが、速くなるように駆動可能であること、が好ましい。
【００２７】
本適用例によれば、吐出部から液体が液滴に吐出されている状態でファンの風速を強めると、液滴の吐出位置にずれが生じる恐れがある。そこで、本適用例の液体吐出装置は、吐出部から液体が吐出されないキャリッジ停止中において、キャリッジを移動中の風速より速い風速でファンを駆動させている。これにより、捕捉部で捕捉されたミストを捕獲部に付着させる効果を向上させることができる。
【図面の簡単な説明】
【００２８】
【図１】実施形態に係る液体吐出装置としての記録装置の概略全体構成を示す斜視図。
【図２】記録装置の概略を示す側面図。
【図３】記録装置の要部である記録領域周辺の概略を示す斜視図。
【図４】記録装置の概略を示す正面図。
【図５】記録装置の概略を示す背面図。
【図６】記録装置の電気的な構成を示すブロック図。
【図７】キャリッジの概略構成を示す正面図。
【図８】キャリッジの概略構成を示す側面図。
【図９】キャリッジの概略構成を示す斜視図。
【図１０】枠状部及び捕捉部の概略構成を示す底面図。
【図１１】（ａ）図７に示す捕捉部のＣ−Ｃ線における断面図。（ｂ）図８に示す捕捉部のＤ−Ｄ線における断面図。
【図１２】変形例１に係る図８に示す捕捉部のＤ−Ｄ線における断面図。
【図１３】変形例２に係る図８に示す捕捉部のＤ−Ｄ線における断面図。
【図１４】（ａ）変形例３に係る図８に示す捕捉部のＥ−Ｅ線における断面図。（ｂ）図８に示す捕捉部のＤ−Ｄ線における断面図。
【発明を実施するための形態】
【００２９】
以下、本発明の実施形態について、図面を参照して説明する。なお、以下の各図においては、各層や各部材を認識可能な程度の大きさにするため、各層や各部材の尺度を実際とは異ならせている。
【００３０】
（実施形態）
＜液体吐出装置の概略構成＞
図１は、実施形態に係る液体吐出装置の一例としての記録装置の概略全体構成を示す斜視図である。図２は、記録装置の概略を示す側面図である。図３は、記録装置の要部である記録領域周辺の概略を示す斜視図である。図４は、記録装置の概略を示す正面図である。図５は、記録装置の概略を示す背面図である。なお、図１から図５は、記録装置から構成部材の一部を取り外した状態を表しており、例えば、キャリッジ６から記録ヘッド７（図７参照）を有するサブキャリッジ５（図７参照）を取り外した状態を表している。
まず、記録装置１の概略構成について説明する。
【００３１】
図１から図３に示すように、記録装置１は、粘着剤が付着された支持面で媒体を支持する搬送ベルト（無端ベルト）としての粘着性ベルト２により媒体を搬送方向Ａに搬送する搬送機構３を備えている。記録装置１は、ロール状の媒体をセット可能であり、媒体を搬送機構３に繰り出すことが可能な図示しない繰出部を備えている。また、記録装置１は、媒体に液体を吐出する吐出部としての記録ヘッド７（図７参照）を主走査方向に移動可能なキャリッジを有している。詳しくは、搬送機構３による媒体の搬送領域には、吐出部としての記録ヘッド７（図７参照）を備えたキャリッジ６を媒体の搬送方向（副走査方向）Ａと交差する主走査方向Ｂに異動させて媒体上に画像などを記録させる記録機構４が備えられている。さらに、記録装置１は、記録機構４によって画像などが記録された媒体を巻き取ることが可能な図示しない巻取機構を備えている。
【００３２】
搬送機構３は、繰出部から繰り出された媒体を載置して搬送する粘着性ベルト２と、粘着性ベルト２を移動させる駆動ローラー８と、従動ローラー９と、を備えている。媒体は、粘着性ベルト２の支持面に貼り付けられて載置される。なお、搬送ベルトには粘着性ベルトを用いるものと説明したが、これに限定するものではない。例えば、搬送ベルトは、静電気で媒体をベルトに吸着させる静電吸着式の無端ベルトであってもよい。また、本実施形態の記録装置１は、上述した構成の搬送機構３を備えているが、このような構成の搬送機構に限定されず、媒体を移動式の支持トレイなどに支持させて搬送する構成や、媒体をローラー対などにより搬送させる構成などとしてもよい。また、媒体を支持部に固定させ、固定された媒体に対して記録ヘッド７を移動させて記録する、所謂フラッドベッドタイプの記録装置であってもよい。
【００３３】
記録機構４は、吐出部としての記録ヘッド７を備えるキャリッジ６を主走査方向Ｂに往復移動させるキャリッジモーター３０（図６参照）を有している。記録装置１は、主走査方向Ｂに延在し骨格部を構成する、パイプ１１ａと、パイプ１１ａと並行するパイプ１１ｂと、を有している。パイプ１１ａの上面にはレール１０ａが備えられ、パイプ１１ｂの上面にはレール１０ｂが備えられている。記録機構４は、レール１０ａ，１０ｂにガイドされたキャリッジ６を主走査方向Ｂへ往復移動させる。
【００３４】
本実施形態の記録装置１は、記録ヘッド７から液体を吐出させながらキャリッジモーター３０を駆動させて記録ヘッド７を主走査方向に移動させる主走査と、媒体の載置された粘着性ベルト２を副走査方向に搬送させる副走査と、を交互に繰り返すことで媒体上に画像などを記録させる。搬送機構３は、キャリッジ６の主走査に対応して粘着性ベルト２を間欠搬送させて媒体を副走査方向に搬送させる。なお、以下の説明では、記録ヘッド７から液体を吐出した際に生じる、記録装置１の内部を浮遊する極微小の液滴を「ミスト」という。
【００３５】
パイプ１１ｂの下部の位置には、主走査方向Ｂに延在し、図示しない複数の送風口から搬送方向Ａとは逆方向に送風する、送風部１２が設けられている。そして、パイプ１１ａの下部の位置には、主走査方向Ｂに延在し、記録ヘッド７から吐出されたミストを回収可能な、回収部１３が設けられている。なお、回収部１３には、パイプ１１ａの下部の位置において主走査方向Ｂに延在している回収口１６が設けられている。
【００３６】
また、図４に示すように、本実施形態の記録装置１の搬送方向Ａにおける下流側（正面側）には、送風部１２による送風力を発生させる送風ファン１４が複数（３つ）設けられている。送風ファン１４が発生させる送風力により、送風部１２は回収部１３の外部（搬送方向Ａにおける下流側の位置）から回収口１６に向けて送風することが可能になっている。
【００３７】
また、図５に示すように、記録装置１の搬送方向Ａにおける上流側（背面側）には、回収口１６から回収部１３の内部に向けて、さらに、回収部１３の内部から記録装置１の外部に向けて、気流を発生させる吸引ファン１５が複数（３つ）設けられている。
【００３８】
＜液体吐出装置の電気的構成＞
図６は、本実施形態の記録装置１の電気的な構成を示すブロック図である。次に、記録装置１における電気的な構成について説明する。
【００３９】
制御部２３は、記録装置１の制御を行うためのものである。制御部２３は、入出力部３４、ＣＰＵ（Central Processing Unit）２４、ＲＯＭ（Read Only Memory）２６、ＲＡＭ（Random Access Memory）２７、ヘッド駆動部２８、モーター駆動部２９を含んでいる。ＣＰＵ２４は、入出力部３４、ＲＯＭ２６、ＲＡＭ２７、ヘッド駆動部２８、モーター駆動部２９とシステムバス２５を介して接続されている。ＣＰＵ２４は、記録装置１全体の制御を行うための演算処理装置である。入出力部３４は、外部装置であるＰＣ（Personal Computer）３５と記録装置１との間でデータの送受信を行う。ＲＯＭ２６およびＲＡＭ２７は、ＣＰＵ２４のプログラムを格納する領域や作業領域等を確保するためのものである。
【００４０】
ＣＰＵ２４は、ＲＯＭ２６に格納されているプログラムに従って、ヘッド駆動部２８及びモーター駆動部２９を制御する。ヘッド駆動部２８は、吐出部としての記録ヘッド７から液体を吐出させる圧電素子（図示せず）を駆動するための駆動信号を生成する。モーター駆動部２９は、キャリッジモーター３０、搬送モーター３１、繰出モーター３２、巻取モーター３３、送風ファンモーター１７、吸引ファンモーター１８、キャリッジファンモーター１９及びサブキャリッジファンモーター２２を駆動させるための駆動信号を生成する。
【００４１】
キャリッジモーター３０は、記録ヘッド７を備えたキャリッジ６を移動させるためのモーターである。搬送モーター３１は、駆動ローラー８を駆動するためのモーターである。繰出モーター３２は、図示しない繰出部にセットされた媒体を搬送機構３に送り出すための繰出部の駆動モーターである。巻取モーター３３は、画像などが記録された媒体を巻き取るために図示しない巻取機構を駆動させるための駆動モーターである。送風ファンモーター１７は、送風ファン１４を駆動するためのモーターである。吸引ファンモーター１８は、吸引ファン１５を駆動するためのモーターである。キャリッジファンモーター１９は、後述するキャリッジファン２０（図７参照）を駆動するためのモーターである。サブキャリッジファンモーター２２は、後述するサブキャリッジファン２１（図７参照）を駆動するためのモーターである。
【００４２】
＜キャリッジ＞
図７は、キャリッジ６の概略構成を示す正面図である。図８は、キャリッジ６の概略構成を示す側面図である。図９は、キャリッジ６の概略構成を示す斜視図である。図１０は、枠状部３７及び捕捉部３８ａ，３８ｂの概略構成を示す底面図である。なお、図９は、各サブキャリッジ５に設けられている複数の記録ヘッド７の配置がわかるような透視図となっている。
記録装置１の要部であるキャリッジ６について図７から図１０を参照して説明する。
【００４３】
図７及び図８に示すように、本実施形態のキャリッジ６には、複数（６つ）のサブキャリッジ５が取り付け可能である。そして、図９および図１０に示すように、各サブキャリッジ５には、複数の記録ヘッド７が互い違い（Stagger）に配置されている。各サブキャリッジ５には、複数の記録ヘッド７の他に、基板などが内部に構成されており、基板を冷却するためのサブキャリッジファン２１が設けられている。サブキャリッジファン２１は、サブキャリッジ５の内部に気流を送る（送風する）ことで、サブキャリッジ５の内部の温度上昇を抑制するものなので、インクのミストがサブキャリッジファン２１の周辺にあるとミストをサブキャリッジ５の内部に送ってしまい、基板などにミストを付着させる虞がある。このため、本実施形態の記録装置１には、サブキャリッジファン２１の周辺までミストが舞い上がることを抑制するための枠状部３７が設けられている。
【００４４】
図９に示すように、キャリッジ６には、６つのサブキャリッジ５（図７参照）に備えられている記録ヘッド７を囲う枠状部３７が設けられている。枠状部３７は、記録ヘッド７から液体を吐出した際に生じるミストが記録ヘッド７の周囲からサブキャリッジファン２１のある上方に拡散されることを抑制している。換言すると、枠状部３７は、サブキャリッジ５の上側の領域をミストの少ない領域に保つセパレーターの役割を果たしている。
【００４５】
＜捕捉部の構成＞
キャリッジ６は、主走査方向Ｂにおいて吐出部としての記録ヘッド７の少なくとも片側に、記録ヘッド７から液体を吐出することに伴い発生するミストを捕捉する捕捉部３８ａ，３８ｂを備えている。図９及び図１０に示すように、本実施形態の捕捉部３８ａ，３８ｂは、６つのサブキャリッジ５に備えられている記録ヘッド７の両側に枠状部３７を介して備えられている。
【００４６】
捕捉部３８ａ，３８ｂは、主走査方向Ｂと交差する副走査方向Ａに沿って延在し、媒体と対向する面に捕捉口４３が設けられている。詳しくは、捕捉部３８ａ，３８ｂは、略矩形状の直方体の形状を成しており、主走査方向Ｂにおいて枠状部３７の両側に副走査方向Ａに沿って延在している。副走査方向Ａにおいて、捕捉部３８ａ，３８ｂの一端側の面には開口部３９が設けられ、一端側とは反対側の他端側の面には開口部４０が設けられている。さらに、媒体を支持する粘着性ベルト２（図１参照）と対向する面（底面）には、開口部３９から開口部４０にわたる捕捉口４３（図１０における斜線部分）が設けられている。
なお、本実施形態の捕捉口４３の構成は一例であり、この構成に限定するものではない。捕捉口４３は、主走査方向からみて、記録ヘッド７の幅より広い開口を有していればよい。また、捕捉口４３は、副走査方向Ａに沿って複数の孔が設けられた構成であってもよいし、捕捉口４３と開口部４０との境界領域に蓋部材を設けて開口を分離した構成であってもよい。
【００４７】
次に、捕捉部３８ａ，３８ｂの内部構成について説明する。
図１１（ａ）は、図７に示す捕捉部３８ａのＣ−Ｃ線における断面図である。図１１（ｂ）は、図８に示す捕捉部３８ａのＤ−Ｄ線における断面図である。なお、捕捉部３８ａと捕捉部３８ｂとは、記録ヘッド７を挟んで対称構成であるため、以下の説明では、捕捉部３８ａについて説明する。
【００４８】
図１１に示すように、捕捉部３８ａは、ミストを捕獲する捕獲部６１を有している。本実施形態の捕獲部６１は、捕捉口４３と対向する内面５１に設けられている。また、捕捉部３８ａは、捕獲部６１に向かう気流を発生させるファンとしてのキャリッジファン２０を有している。詳しくは、キャリッジファン２０は、副走査方向Ａにおける一端側に設けられている。本実施形態では、キャリッジファン２０は、副走査方向Ａにおける一端側としての開口部３９側に設けられ、開口部３９から捕獲部６１に向かい開口部４０に至る図１１（ａ）の矢印で示す気流を発生させる。
【００４９】
また、捕捉部３８ａは、捕捉口４３と、捕捉口４３に対向する内面５１と、の間に、平面視にて捕捉口４３と重なる液体誘導部５５を有している。液体誘導部５５は、捕捉部３８ａの内側面５２に向かって傾斜している。図１１（ｂ）に示すように、捕捉部３８ａは、捕獲部６１が形成されている内面（内天面）５１、枠状部３７側に位置する内側面５２、枠状部３７から延出し捕捉部３８ａの一方の底面を形成している内底面５３ａ、捕捉口４３を挟んで他方の底面を形成している内底面５３ｂ、を含む内面を有している。本実施形態の液体誘導部５５は、内底面５３ａの捕捉口４３の開口端に設けられている。液体誘導部５５の先端部５５ａから基端部５５ｂは内側面５２に向かって傾斜し、内天面５１から捕捉口４３を見たとき、捕捉口４３の上方は液体誘導部５５で覆われている。
【００５０】
次にキャリッジ６が図１１（ｂ）に示すＢ１方向に主走査した場合のミストの捕獲について説明する。
記録ヘッド７から液体を吐出することに伴って発生したミストは、捕捉部３８ａの捕捉口４３から捕捉部３８ａの内部に吸引され、捕獲部６１で捕獲される。詳しくは、上述したように、副走査方向Ａにおける一端側としての開口部３９側にはキャリッジファン２０が設けられ、キャリッジファン２０は、開口部３９から捕獲部６１に向かい開口部４０に至る気流を発生させている。この気流と捕捉部３８ａの内部構成とにより、捕捉口４３付近には、捕捉口４３から捕獲部６１に向かう図１１（ｂ）の矢印で示す上昇気流が生じている。
【００５１】
記録ヘッド７は、捕捉部３８ａからみて主走査方向Ｂ（Ｂ１方向）における下流側に位置しており、キャリッジ６がＢ１方向に移動すると、捕捉部３８ａは、記録ヘッド７の通過した位置をその直後に通過する。記録ヘッド７からの液体の吐出に伴って生じたミストは、その直後に通過する捕捉部３８ａの捕捉口４３から上昇気流に乗って捕捉部３８ａの内部に取り込まれ、ミストが捕獲部６１に衝突することによって捕獲部６１に付着する。これにより、記録ヘッド７から液体を吐出することに伴って生じるミストの大部分が発生直後に捕獲されるので、記録装置１の内部を浮遊するミストを減少させることができる。
【００５２】
また、キャリッジファン２０は、副走査方向Ａにおける一端側としての開口部３９側に設けられ、ミストを含んだ気体を捕捉口４３から捕獲部６１へ向かわせる上昇気流を間接的に生じさせている。換言すると、キャリッジファン２０は、ミストを含んだ気体を吸引しないので、キャリッジファン２０がミストで汚れることを抑制して、ミストを捕獲部６１に付着させることができる。
【００５３】
また、キャリッジファン２０は、制御部２３の制御により、キャリッジ６の主走査方向への移動中の風速よりも、キャリッジ６の停止中の風速のほうが、速くなるように駆動可能である。記録ヘッド７から液体を液滴に吐出させた状態でキャリッジファン２０の風速を強めると、液滴の着弾ずれを生じる恐れがある。そこで、本実施形態の記録装置１では、記録ヘッド７から液体を吐出するキャリッジ６の移動中は、キャリッジファン２０の風速を液滴の着弾ずれを生じさせない風速で駆動し、液体を吐出しないキャリッジ６の停止中は、キャリッジファン２０の風速を強くする制御を行っている。これにより、キャリッジ６の停止中において、捕捉部３８ａで捕捉されたミストを捕獲部６１に付着させる効果を向上させることができる。
【００５４】
また、捕獲部６１にミストが多量に付着するとミストが液状になり、さらには液滴となって、捕捉口４３から捕捉部３８ａの外部に滴下する恐れがある。そこで、本実施形態では、捕捉口４３の上方を覆う液体誘導部５５を備えている。また、捕捉部３８ａの内底面５３ａ，５３ｂは、液滴（液体）を保持することが可能な樋状を成している。捕獲部６１から捕捉口４３に向かって滴下した液滴は液体誘導部５５に着弾し、液体誘導部５５の傾斜に沿って捕捉部３８ａの内底面５３ａに誘導される。これにより、捕獲部６１から滴下する液滴は内底面５３ａ，５３ｂで保持されるので、ミストが液滴となって捕捉口４３をから捕捉部３８ａの外部に滴下し、記録装置１の内部や媒体が汚染されることを防止できる。また、ミスト（液体）は、樋状の内底面５３ａ，５３ｂに保持されるので、液体を容易に回収できる。また、液体誘導部５５は、捕捉口４３から捕獲部６１に向かう上昇気流の整流板としての機能も有している。
【００５５】
なお、記録装置１は、開口部４０から流出したミストを送風部１２で生じる気流により回収口１６に流入させて回収する回収部１３（図３参照）を備えているが、本実施形態の記録装置１は、ミストの大部分を捕捉部３８ａ，３８ｂ内で捕獲させるので、開口部４０から回収口１６に至る間で記録装置１の内部に拡散するミストを抑制することができる。
また、本実施形態の記録装置１は双方向印刷を行うため、キャリッジ６は主走査方向Ｂにおける記録ヘッド７の両側に捕捉部３８ａ，３８ｂを備える構成を示したが、片方向印刷を行う記録装置などの場合は、記録ヘッド７の少なくとも片側に捕捉部を備える構成であってもよい。
また、本実施形態の記録装置１では、制御部２３の制御により、キャリッジ６の主走査方向Ｂのうちの何れの方向の移動時においても捕捉部３８ａ及び３８ｂの両方のキャリッジファン２０を駆動することが可能であるが、このようなキャリッジファン２０の駆動方法に限定されない。ただし、キャリッジ６の主走査方向Ｂのうちの上流側（後方側）となるキャリッジファン２０を駆動させる駆動方法を実行することが好ましい。
【００５６】
以上述べたように、本実施形態に係る液体吐出装置としての記録装置１によれば、以下の効果を得ることができる。
記録装置１のキャリッジ６は、記録ヘッド７から液体を吐出することに伴って発生するミストを捕捉する捕捉部３８ａ，３８ｂを備えている。捕捉部３８ａ，３８ｂは、ミストを捕捉する捕捉口４３と、捕捉したミストを付着させる捕獲部６１と、捕捉口４３から捕獲部６１に向かう上昇気流を生じさせるキャリッジファン２０と、を有している。捕捉部３８ａ，３８ｂは、記録ヘッド７の両側に位置しているので、記録ヘッド７から液体を吐出することに伴って生じたミストは、その直後に通過する捕捉部３８ａまたは捕捉部３８ｂによって捕捉され、捕獲部６１に付着する。これにより、ミストの大部分が発生直後に捕獲されるので、記録装置１の内部を浮遊するミストが減少し、このミストにより記録装置１の内部や媒体が汚染されることを抑制することができる。したがって、画像品質を向上させた液体吐出装置を提供することができる。
【００５７】
また、捕捉部３８ａ，３８ｂは、捕捉口４３と、捕捉口４３に対向する内面と、の間に、平面視にて捕捉口４３と重なり、内側面５２に向かって傾斜している液体誘導部５５を有している。これにより、捕獲部６１にミストが多量に付着した場合に、捕獲部６１から捕捉口４３に向かって滴下する液滴は、内底面５３ａで保持されるので、ミストが液滴となって捕捉口４３から捕捉部３８ａの外部に滴下し、記録装置１の内部や媒体が汚染されることを防止できる。
また、キャリッジファン２０は、キャリッジ６の移動中の風速よりも、キャリッジ６の停止中の風速のほうが、速くなるように駆動可能である。キャリッジ６の停止中において、キャリッジファン２０の風速を強くすることで、捕捉部３８ａで捕捉されたミストを捕獲部６１に付着させる効果を向上させることができる。
また、キャリッジファン２０は、開口部３９の一端側に設けられており、ミストを含んだ気体を直接吸引しないので、キャリッジファン２０がミストで汚れることを抑制できる。
【００５８】
なお、本発明は上述した実施形態に限定されず、上述した実施形態に種々の変更や改良などを加えることが可能である。変形例を以下に述べる。
【００５９】
（変形例１）
図１２は、変形例１に係る図８に示す捕捉部３８ａのＤ−Ｄ線における断面図である。
以下に、変形例１に係る液体吐出装置としての記録装置１について説明する。なお、実施形態と同一の構成部位については、同一の番号を附し、重複する説明は省略する。
【００６０】
図１２に示すように、捕獲部１６１は、ミストを吸着する吸収材１６２を有している。捕獲部１６１は、捕捉口４３と対向する内面５１に設けられ、捕獲部１６１には、繊維やスポンジなどの多孔質部材が吸収材１６２として備えられている。ミストは、捕捉口４３から図１２の矢印で示す上昇気流に乗って捕捉部３８ａの内部に取り込まれ、ミストが捕獲部１６１の吸収材１６２に衝突することによって吸収材１６２に吸着される。捕獲部１６１に吸収材１６２を備えることにより、ミストを効率的に捕獲することができる。
【００６１】
（変形例２）
図１３は、変形例２に係る図８に示す捕捉部３８ａのＤ−Ｄ線における断面図である。
以下に、変形例２に係る液体吐出装置としての記録装置１について説明する。なお、実施形態と同一の構成部位については、同一の番号を附し、重複する説明は省略する。
【００６２】
図１３に示すように、捕獲部２６１は、フィン状の凹凸部２６２を有している。捕獲部２６１は、捕捉口４３と対向する内面５１に設けられ、捕獲部２６１には、金属を波型に成形した凹凸部２６２が設けられている。凹凸部２６２の材質としては、耐腐食性に優れたステンレスなどを用いるのが好ましい。ミストは、捕捉口４３から図１３の矢印で示す上昇気流に乗って捕捉部３８ａの内部に取り込まれ、ミストが捕獲部２６１に設けられた凹凸部２６２に衝突することによって凹凸部２６２に付着する。捕獲部２６１に凹凸部２６２を備えることにより、ミストを効率的に捕獲することができる。
【００６３】
（変形例３）
図１４（ａ）は、変形例３に係る図８に示す捕捉部３８ａのＥ−Ｅ線における断面図である。図１４（ｂ）は、図８に示す捕捉部３８ａのＤ−Ｄ線における断面図である。
以下に、変形例３に係る液体吐出装置としての記録装置１について説明する。なお、実施形態と同一の構成部位については、同一の番号を附し、重複する説明は省略する。
【００６４】
図１４に示すように、捕獲部３６１は、捕捉口４３の設けられた面と交差する内側面に設けられている。詳しくは、捕獲部３６１は、捕捉口４３の設けられている内底面５３ａ，５３ｂで形成される平面と交差し、枠状部３７側に位置する内側面５２に設けられている。キャリッジファン２０は、副走査方向Ａにおける一端側としての開口部３９側に設けられ、開口部３９から捕獲部３６１に向かい開口部４０に至る図１４（ａ）の矢印で示す気流を発生させる。この気流によりキャリッジファン２０は、ミストを含んだ気体を捕捉口４３から捕捉部３８ａの内部へ、そして捕獲部３６１に向かわせる図１４（ｂ）の矢印で示す気流を間接的に生じさせている。ミストは、図１４（ｂ）の矢印で示す気流に乗って捕捉部３８ａの内部に取り込まれ、ミストが捕獲部３６１に衝突することにより捕獲部３６１（内側面５２）に付着する。捕獲部３６１は内側面５２に設けられているため、捕獲部３６１にミストが多量に付着し液状になっても、液状化したミストは、内側面５２に沿って内底面５３ａで保持されるので、液体誘導部５５を設ける必要がない。これにより、捕獲部３６１で捕獲したミストが捕捉口４３から流出し、記録装置１の内部や媒体が汚染されることを防止できる。
ここで捕獲部３６１には変形例１や変形例２と同様に吸収材１６２や凹凸部２６２を備えてもよい。
また捕獲部３６１は内側面５２として説明したが、内天面５１と内側面５２をつなぐ傾斜面を設けて、それを捕獲部３６１としてもよい。
【符号の説明】
【００６５】
１…記録装置、２…粘着性ベルト、３…搬送機構、４…記録機構、５…サブキャリッジ、７…記録ヘッド、８…駆動ローラー、９…従動ローラー、１０ａ，１０ｂ…レール、１１ａ，１１ｂ…パイプ、１２…送風部、１３…回収部、１４…送風ファン、１５…吸引ファン、１６…回収口、２３…制御部、２４…ＣＰＵ、２５…システムバス、２６…ＲＯＭ、２７…ＲＡＭ、２８…ヘッド駆動部、２９…モーター駆動部、３４…入出力部、３５…ＰＣ、３７…枠状部、３８ａ，３８ｂ…捕捉部、３９，４０…開口部、４３…捕捉口、５１…内面（内天面）、５２…内側面、５３ａ，５３ｂ…内底面、５５…液体誘導部、５５ａ…先端部、５５ｂ…基端部、６１，１６１，２６１，３６１…捕獲部、１６２…吸収材、２６２…凹凸部。
【図１】
0006613614.tif 000002
【図２】
0006613614.tif 000003
【図３】
0006613614.tif 000004
【図４】
0006613614.tif 000005
【図５】
0006613614.tif 000006
【図６】
0006613614.tif 000007
【図７】
0006613614.tif 000008
【図８】
0006613614.tif 000009
【図９】
0006613614.tif 000010
【図１０】
0006613614.tif 000011
【図１１】
0006613614.tif 000012
【図１２】
0006613614.tif 000013
【図１３】
0006613614.tif 000014
【図１４】
0006613614.tif 000015